(57)【要約】【課題】車両の運転手であるユーザが車両を降車したのち、しばらくして再度乗車しようとする際に、自身が運転してきた車両の位置がわからなくなるという問題があった。【解決手段】本発明の携帯機は、携帯機の位置を検出する位置検出装置と、車両のドアの施錠／解錠を操作する車両用ドア錠操作装置と、車両用ドア錠操作装置によって車両のドアを施錠するように操作したときの携帯機の位置を車両の駐車位置として記憶する記憶装置と、車両の駐車位置と携帯機の位置との相対的な位置関係を通知する通知装置と、を有することを特徴とする。【選択図】図３
2010112890.tif 000002
【特許請求の範囲】
【請求項１】
携帯機の位置を検出する位置検出装置と、
車両のドアの施錠／解錠を操作する車両用ドア錠操作装置と、
前記車両用ドア錠操作装置によって前記車両のドアを施錠するように操作したときの携帯機の位置を車両の駐車位置として記憶する記憶装置と、
前記車両の駐車位置と前記携帯機の位置との相対的な位置関係を通知する通知装置と、
を有することを特徴とする携帯機。
【請求項２】
携帯機の位置を検出する位置検出装置と、
車両と携帯機との相対的な位置を検出する車両位置検出装置と、
前記車両位置検出装置によって、前記車両と携帯機との間隔が所定距離以上離間したことを検知したときの携帯機の位置を車両の駐車位置として記憶する記憶装置と、
前記車両の駐車位置と前記携帯機の位置との相対的な位置関係を通知する通知装置と、
を有することを特徴とする携帯機。
【請求項３】
携帯機の位置を検出する位置検出装置と、
車両の動作状態を検出する車両動作状態検出装置と、
前記車両動作状態検知装置によって、前記車両が動作状態から停止状態に遷移したことを検知したときの携帯機の位置を車両の駐車位置として記憶する記憶装置と、
前記車両の駐車位置と前記携帯機の位置との相対的な位置関係を通知する通知装置と、
を有することを特徴とする携帯機。
【請求項４】
携帯機の位置を検出する位置検出装置と、
所定の領域の位置に関するデータを記憶した地図データ記憶装置と、
前記携帯機が前記所定の領域内に停止した時間をカウントするタイマーと、
前記タイマーによってカウントした時間が所定の時間以上経過したときの前記携帯機の位置を車両の駐車位置として記憶する記憶装置と、
前記車両の駐車位置と前記携帯機との相対的な位置を通知する通知装置と、
を有することを特徴とする携帯機。
【請求項５】
前記記録装置は駐車位置を時刻と共に記憶する、請求項１乃至４のいずれか一項に記載の携帯機。
【発明の詳細な説明】
【技術分野】
【０００１】
本発明は携帯機に関し、特に車両の駐車位置を確認することができる携帯機に関する。
【背景技術】
【０００２】
車両の運転手であるユーザが車両を降車したのち、しばらくして再度乗車しようとする際に、自身が運転してきた車両の位置がわからなくなることがある。このような状況は、駐車場エリアが広い場合や、駐車した駐車場に不慣れな場合等に頻繁に生じ得る。特に、高齢化社会が進行する現代において、このような状況はますます顕在化するものと考えられる。このような問題に対して、ユーザが所持している携帯機を用いて、ユーザが運転してきた車両から離れた後に、自身が運転してきた車両の位置を確認する方法が提案されている（例えば、特許文献１及び２）。
【０００３】
特許文献１に開示された方法について、図１を用いて説明する。特許文献１に開示された方法は、車両のハンズフリー通話装置との間でブルートゥース（登録商標）通信接続されてハンズフリー通話を行う携帯端末において、車両の駐車位置を特定して車両に乗るときのハンズフリー通話モードへの移行を自動化するというものである。具体的には、図１に示すように、携帯端末１０４は、車両１０３のエンジンが切られて、車両１０３との間のブルートゥース（登録商標）通信が切断された時の携帯端末１０４のＧＰＳ位置を車両１０３の駐車位置として自動で記憶しておく。そして、携帯端末１０４は、携帯端末１０４のブルートゥース（登録商標）無線部を、常時待受けを行わないスリープモードにする。次に、携帯端末１０４を所持して降車したユーザが再び車両１０３付近に戻り、携帯端末１０４のＧＰＳ位置が車両の駐車位置の所定の範囲内に入ると、ブルートゥース（登録商標）無線部を常時待受けにしてハンズフリー通話モードへの移行の準備を自動で行うというものである。このような構成により、動き回る車両の駐車位置を自動で特定することができる。
【０００４】
特許文献２に開示された方法について、図２を用いて説明する。車載システム１００１は、イグニッションキーの位置がオンからオフにされたことを示す信号などの車両の駐車位置が確定したことを示す信号に基づいて車両の位置を含む車両位置情報を送受信回路１０２１から送信する。携帯機１０１０は、送受信回路１０１４によって車載システム１００１からの車両位置情報を受信し、受信した車両位置情報をメモリ１０１１に記憶し、メモリ１０１１に記憶した車両位置情報に基づき、車両の位置を報知するというものである。このような構成により、携帯機からの電波が届かない場所に車両が駐車している場合であっても、車両の駐車位置を確認することができる。
【０００５】
【特許文献１】特開２００６−２８７６４４号公報（特に、図１及び［００１３］項参照）
【特許文献２】特開２００５−８４７１４号公報（特に、図１及び［００１９］〜［００５７］項参照）
【発明の開示】
【発明が解決しようとする課題】
【０００６】
しかしながら、特許文献１に開示された方法においては、携帯端末が車両のハンズフリー通話装置との間でブルートゥース（登録商標）通信接続されてハンズフリー通話を行う必要があり、ブルートゥース（登録商標）通信機能を有さない携帯端末においては、車両の位置を自動で記録することができないという問題があった。
【０００７】
また、特許文献２に開示された方法においては、車両の駐車位置が確定したことを示す信号に基づいて車両の位置を含む車両位置情報を車両の送受信回路から携帯機に送信する必要があった。そのため、車両は車両位置情報の送受信回路を搭載する必要があり、そのような送受信回路を搭載していない車両においては車両の位置を知ることができないという問題があった。
【課題を解決するための手段】
【０００８】
本発明の携帯機は、携帯機の位置を検出する位置検出装置と、車両のドアの施錠／解錠を操作する車両用ドア錠操作装置と、車両用ドア錠操作装置によって車両のドアを施錠するように操作したときの携帯機の位置を車両の駐車位置として記憶する記憶装置と、車両の駐車位置と携帯機の位置との相対的な位置関係を通知する通知装置と、を有することを特徴とする。
【０００９】
また、本発明の携帯機において、携帯機の位置を検出する位置検出装置と、車両と携帯機との相対的な位置を検出する車両位置検出装置と、車両位置検出装置によって、車両と携帯機との間隔が所定距離以上離間したことを検知したときの携帯機の位置を車両の駐車位置として記憶する記憶装置と、車両の駐車位置と携帯機の位置との相対的な位置関係を通知する通知装置と、を有してもよい。
【００１０】
また、本発明の携帯機において、携帯機の位置を検出する位置検出装置と、車両の動作状態を検出する車両動作状態検出装置と、車両動作状態検知装置によって、車両が動作状態から停止状態に遷移したことを検知したときの携帯機の位置を車両の駐車位置として記憶する記憶装置と、車両の駐車位置と携帯機の位置との相対的な位置関係を通知する通知装置と、を有してもよい。
【００１１】
また、本発明の携帯機において、携帯機の位置を検出する位置検出装置と、所定の領域の位置に関するデータを記憶した地図データ記憶装置と、携帯機が所定の領域内に停止した時間をカウントするタイマーと、タイマーによってカウントした時間が所定の時間以上経過したときの携帯機の位置を車両の駐車位置として記憶する記憶装置と、車両の駐車位置と携帯機との相対的な位置を通知する通知装置と、を有してもよい。
【００１２】
また、本発明の携帯機において、記録装置は駐車位置を時刻と共に記憶するようにしてもよい。
【発明の効果】
【００１３】
本発明によれば、車両が特別な機能を有していなくても、携帯機のみを用いて車両の駐車位置を確認することが可能となる。
【発明を実施するための最良の形態】
【００１４】
以下、図面を参照して、本発明に係る携帯機について説明する。ただし、本発明の技術的範囲はそれらの実施の形態には限定されず、特許請求の範囲に記載された発明とその均等物に及ぶ点に留意されたい。
【実施例１】
【００１５】
本発明の第１の実施例に係る携帯機の構成について、図３を用いて説明する。図３は、携帯機１及び、携帯機１によって駐車位置を確認しようとする対象の車両２００の構成概念図である。実施例１においては、携帯機１が、車両のドアの施錠／解錠を操作する車両用ドア錠操作装置（キーレスエントリシステム）を備えており、このキーレスエントリシステムを利用して車両２００の駐車時点を決定する点を特徴としている。ここでキーレスエントリシステムとは、キーを車両のドアのシリンダーに差し込まなくても、ボタン一つで車両のドアのキーを施錠／開錠できるシステムのことをいう。
【００１６】
携帯機１は、キーレスエントリシステム１０を備えており、キーレスエントリシステム１０は、アンテナ１１と、送受信機１２と、制御装置１３と、操作部１４とを備えている。操作部１４において車両２００のドアの施錠／開錠操作が行われると、操作部１４は制御装置１３にキーの施錠／開錠命令を送信する。施錠／開錠命令を受信した制御装置１３は、送受信機１２に施錠／開錠信号を送信するように指示し、アンテナ１１から、ドアの施錠／開錠信号が発信される。
一方、車両２００は、この施錠／開錠信号を受信するためのアンテナ２０１及び受信機２０２を備えており、受信した信号は制御装置２０３に送信され、この信号に従って制御装置２０３がドア制御装置２０４を制御することによって、ドアの開錠／施錠が行なわれる。
【００１７】
また、携帯機１は携帯機の位置を知るためのＧＰＳ装置１７を有しており、ＧＰＳ用衛星からの信号をアンテナ１５で受信し、受信した信号が受信機１６からＧＰＳ装置１７に送信されて携帯機の位置を知ることができる。さらに、携帯機１は、携帯機１の位置を記憶するための記憶装置１８と、地図上の位置を表示するための表示装置１９と、地図データを記憶しておくための地図データ記憶装置２０とを備えている。
【００１８】
本発明の実施例１に係る携帯機１においては、キーレスエントリシステム１０を用いて車両２００のドアを施錠したときに、車両が駐車されたものとみなし、そのときの携帯機１の位置をＧＰＳ装置１７によって求め、これを車両２００の駐車位置として時刻と共に記憶装置１８に記憶する。駐車位置を時刻と共に記録することによって、複数回駐車を行なった場合においても、最新の駐車位置データに基づいて駐車位置を決定することができる。携帯機１を所持したユーザが車両を離れたときの自己の位置は、携帯機１のＧＰＳ装置１７によって知ることができ、地図データ記憶装置２０に記憶された地図データ上における車両の駐車位置とユーザの現在地とを表示装置１９上に表示することができる。このようにして、車両を離れたユーザは自己の位置に対する車両の相対的な位置を知ることができる。本発明の実施例１の携帯機においては、キーレスエントリシステムを用いて車両を施錠したときの携帯機の位置を車両の位置とみなすことにより、車両側からの特別な情報を得ることなく、携帯機のみで車両の駐車位置を記憶することができる。
【００１９】
次に実施例１に係る携帯機による車両の位置の確認手順について、図４のフローチャートを用いて説明する。まず、ステップＳ１００において、キーレスエントリシステム１０によって車両２００のドアを施錠する操作が行なわれたか否かが判断される。施錠する操作が行なわれた場合はステップＳ１０１に進むが、施錠する操作が行なわれない場合は、元に戻って、キーレスエントリシステム１０による施錠操作を待つ状態となる。
【００２０】
キーレスエントリシステム１０によって車両２００の施錠の操作を行う場合は、ステップＳ１０１において、携帯機１に搭載されたキーレスエントリシステム１０の送受信機１２からドアの施錠を指示する信号がアンテナ１１から発信される。このときに、車両２００が駐車されたものと判断し、ステップＳ１０２において携帯機１の位置をＧＰＳ装置１７で確認し、その位置を車両２００の駐車位置として携帯機１の記憶装置１８に記憶する。
【００２１】
車両を駐車し、車両から離れたユーザが再度車両に戻る場合に、ステップＳ１０３において車両２００の駐車位置のサーチが開始されたか否かを判断する。駐車位置のサーチが開始された場合には、ステップＳ１０４に処理が進められるが、駐車位置のサーチが開始されない場合は、元に戻ってサーチ開始を待つ状態となる。車両の駐車位置のサーチを開始する操作が携帯機１に対して行なわれると、携帯機１はＧＰＳ装置１７によって携帯機１の現在地を確認し、地図データ記憶装置２０に記憶された地図データ上における、記憶装置１８に格納された車両２００の駐車位置と、携帯機１の現在地とを表示装置１９上に表示する。
【００２２】
表示装置１９上の表示画面の一例を図５に示す。図５（ａ）は、地図データ記憶装置２０に格納された地図データに基づいて、駐車場を含んだブロック５０１と、他のブロック５０２、５０３等の俯瞰図を表示画面５００に表示した例を示している。駐車場を含んだブロック５０１には駐車場エリア５０４が示されており、駐車場エリア５０４内には記憶装置１８に格納された駐車位置データに基づいて駐車位置５１１が表示されている。さらに、ＧＰＳ装置１７から求めた携帯機１の位置（自位置）５１０と自位置５１０から駐車位置５１１までの最短経路５１２が表示されている。図５（ｂ）は、駐車場を含んだブロック５０１のみを拡大して表示した例であって、表示画面５００には、駐車エリア５０４内の駐車スペース５０５、駐車位置５１１、自位置５１０、最短経路５１２が表示されている。このようにして、図５（ａ）に示すように、比較的広域の地図を用いて車両の駐車位置５１１と、携帯機の自位置５１０とを示してもよいし、図５（ｂ）に示すように、駐車場の詳細な地図を用いて、車両を駐車した駐車スペース５０５まで表示し、携帯機を所持したユーザの自位置５１０から駐車位置５１１までの最短経路５１２を表示してもよい。
【００２３】
実施例１における携帯機の例としては、キーレスエントリシステムを有する携帯電話や携帯端末等が挙げられるが、これらには限られず、キーレスエントリシステムを有するキー自体であってもよい。
【実施例２】
【００２４】
本発明の第２の実施例に係る携帯機の構成について、図６を用いて説明する。図６は、携帯機１及び、携帯機１によって駐車位置を確認しようとする対象の車両２００の構成概念図である。実施例２においては、携帯機１を所持したユーザが車両２００から所定距離以上離れたときに車両の駐車が行なわれたと判断し、そのときの車両２００の駐車位置を記憶する点を特徴としている。
【００２５】
携帯機１は、車両位置検出装置２１を備えており、車両位置検出装置２１は、アンテナ１１０と、送受信機１２０と、制御装置１３０と、操作部１４０とを備えている。操作部１４０で携帯機１と車両２００との間隔の計測が開始されると、制御装置１３０は携帯機１と車両２００との間隔（携帯機−車両間距離）を計測するための電波の送信を送受信機１２０に命令し、アンテナ１１０から携帯機−車両間距離計測用の電波が送信される。送信された電波は車両２００で反射し、携帯機１のアンテナ１１０は車両２００で反射された電波を受信し、送受信のタイミングから携帯機−車両間距離を割り出す。
【００２６】
また、実施例１と同様に、携帯機１は携帯機の位置を知るためのＧＰＳ装置１７を有しており、ＧＰＳ用衛星からの信号をアンテナ１５で受信し、受信機１６で信号処理を行なう。さらに、携帯機１は、携帯機１の位置を記憶するための記憶装置１８と、地図上の位置を表示するための表示装置１９と、地図データを記憶しておくための地図データ記憶装置２０とを備えている。
【００２７】
本発明の実施例２に係る携帯機１においては、携帯機−車両間距離が所定距離以上になったときに、携帯機を所持したユーザが車両から離れたものと判断し、そのときの携帯機１の位置をＧＰＳ装置１７によって求め、これを車両２００の駐車位置として時刻と共に記憶装置１８に記憶する。駐車位置を時刻と共に記録することによって、複数回駐車が行なわれた場合であっても、最新のデータに基づいて駐車位置を決定することができる。携帯機１を所持したユーザが車両を離れたときの自己の位置は、携帯機１のＧＰＳ装置１７によって知ることができ、地図データ記憶装置２０に保管された地図データ上における車両の駐車位置とユーザの現在地とを表示装置１９上に表示することができる。このようにして、車両を離れたユーザは自己の位置に対する車両の相対的な位置を知ることができる。本発明の実施例２の携帯機においては、車両位置検出装置を用いて、携帯機−車両間距離が所定距離以上離れたときの携帯機の位置を車両の位置とみなすことにより、車両側からの特別な情報を得ることなく、携帯機のみで車両の駐車位置を記憶することができる。
【００２８】
次に実施例２に係る携帯機による車両の位置の確認手順について、図７のフローチャートを用いて説明する。まず、ステップＳ２００において、携帯機１と車両２００との間の距離である携帯機−車両間距離ｄを計測する。次にステップＳ２０１において、ｄが所定距離ｄ0よりも大きいか否かが判断される。ｄ＞ｄ0の場合は、ステップＳ２０２に進むが、ｄがｄ0以下の場合は、元に戻って、ｄがｄ0を超えるまで待つ状態となる。
【００２９】
携帯機−車両間距離ｄが所定距離ｄ0を超えた場合には、携帯機１を所持したユーザが車両２００から十分離れているため、車両２００が駐車されたものと判断し、ステップＳ２０２において携帯機１の位置をＧＰＳ装置１７で確認し、その位置を車両２００の駐車位置として携帯機１の記憶装置１８に記憶する。
【００３０】
車両を駐車し、車両から離れたユーザが再度車両に戻る場合に、ステップＳ２０３において車両２００の駐車位置のサーチが開始されたか否かを判断する。駐車位置のサーチが開始された場合には、ステップＳ２０４に処理が進められるが、駐車位置のサーチが開始されない場合は、元に戻ってサーチ開始を待つ状態となる。車両の駐車位置のサーチを開始する操作が携帯機１に対して行なわれた場合の車両の操作手順は実施例１と同様であるので省略する。
【実施例３】
【００３１】
本発明の第３の実施例に係る携帯機の構成について、図８を用いて説明する。図８は、携帯機１及び、携帯機１によって駐車位置を確認しようとする対象の車両２００の構成概念図である。実施例３においては、携帯機１側で車両の動作状態を検出し、車両が動作状態から停止状態に遷移したときに車両の駐車が行なわれたと判断し、そのときの車両２００の駐車位置を記憶する点を特徴としている。
【００３２】
携帯機１は、車両動作状態検出装置２２を備えており、車両動作状態検出装置２２は、アンテナ１１１と、送受信機１２１と、制御装置１３１と、操作部１４１とを備えている。操作部１４１で車両２００の動作状態の検出を開始する命令がなされると、制御装置１３１は車両２００の動作状態の検出を行う。車両の動作状態の検出は、例えば、車両２００が動作状態にあるときに、車両２００の送信機２０２及びアンテナ２０１から発信される電波を携帯機１のアンテナ１１１で受信することにより行なわれる。車両２００から電波を受信している場合には車両２００は動作状態にあると判断し、車両２００からの電波が遮断されたときに、車両２００が停止状態に遷移したものと判断することができる。
【００３３】
また、実施例１と同様に、携帯機１は携帯機の位置を知るためのＧＰＳ装置１７を有しており、ＧＰＳ用衛星からの信号をアンテナ１５で受信し、受信機１６で信号処理を行なう。さらに、携帯機１は、携帯機１の位置を記憶するための記憶装置１８と、地図上の位置を表示するための表示装置１９と、地図データを記憶しておくための地図データ記憶装置２０とを備えている。
【００３４】
本発明の実施例３に係る携帯機１においては、車両が動作状態から停止状態に遷移したときに、車両が駐車されたものと判断し、そのときの携帯機１の位置をＧＰＳ装置１７によって求め、これを車両２００の駐車位置として時刻と共に記憶装置１８に記憶する。駐車位置を時刻と共に記録することによって、動作状態から停止状態への遷移が複数回行なわれた場合であっても、最新のデータに基づいて駐車位置を決定することができる。携帯機１を所持したユーザが車両を離れたときの自己の位置は、携帯機１のＧＰＳ装置１７によって知ることができ、地図データ記憶装置２０に保管された地図データ上における車両の駐車位置とユーザの現在地とを表示装置１９上に表示することができる。このようにして、車両を離れたユーザは自己の位置に対する車両の相対的な位置を知ることができる。本発明の実施例３の携帯機においては、車両動作状態検出装置２２を用いて、車両が動作状態から停止状態に遷移したときの携帯機の位置を車両の位置とみなすことにより、携帯機のみで車両の駐車位置を記憶することができる。
【００３５】
次に実施例３に係る携帯機による車両の位置の確認手順について、図９のフローチャートを用いて説明する。まず、ステップＳ３００において、車両動作状態検出装置２２を用いて車両の動作状態を検出する。次にステップＳ３０１において、車両が動作状態から停止状態に遷移したかどうかを検出する。動作状態の遷移が検出された場合は、ステップＳ３０２に進むが、動作状態の遷移が検出されない場合は、元に戻って、動作状態の遷移が検出されるまで待つ状態となる。
【００３６】
車両の動作状態の遷移が検出された場合には、車両２００が駐車されたものと判断し、ステップＳ３０２において携帯機１の位置をＧＰＳ装置１７で確認し、その位置を車両２００の駐車位置として携帯機１の記憶装置１８に記憶する。ここで、車両が実際に駐車されるまでに車両の動作状態の遷移が複数回行なわれた場合であっても、駐車位置のデータを駐車が行なわれた時刻と共に記録し、最新のデータに基づいて駐車位置を決定することにより、正確な駐車位置を確定することができる。
【００３７】
車両を駐車し、車両から離れたユーザが再度車両に戻る場合に、ステップＳ３０３において車両２００の駐車位置のサーチが開始されたか否かを判断する。駐車位置のサーチが開始された場合には、ステップＳ３０４に処理が進められるが、駐車位置のサーチが開始されない場合は、元に戻ってサーチ開始を待つ状態となる。車両の駐車位置のサーチを開始する操作が携帯機１に対して行なわれた場合の車両の操作手順は実施例１と同様であるので省略する。
【００３８】
本実施例では、車両の動作状態を検出するために、車両から発信される電波を受信することによって行なう例を示したが、車両の動作状態を検出する方法はこれには限られない。例えば、車両が動作しているときにのみ生じる振動や、エンジン音あるいは加速度を検出して判断するようにしてもよい。
【実施例４】
【００３９】
本発明の第４の実施例に係る携帯機の構成について、図１０を用いて説明する。図１０は、携帯機１の構成概念図である。実施例４においては、携帯機１が駐車スペースに所定の時間以上停止したときに車両の駐車が行なわれたと判断し、そのときの車両２００の駐車位置を記憶する点を特徴としている。
【００４０】
携帯機１は、制御装置１３２と、操作部１４２とを備えている。また、携帯機１は携帯機の位置を知るためのＧＰＳ装置１７を有しており、ＧＰＳ用衛星からの信号をアンテナ１５で受信し、受信機１６で信号処理を行なう。操作部１４２で携帯機１の位置の検出が開始されると、制御装置１３２はＧＰＳ装置１７を用いて携帯機１の位置の検出を行う。さらに、携帯機１は、携帯機１の位置を記憶するための記憶装置１８と、地図上の位置を表示するための表示装置１９と、地図データを記憶しておくための地図データ記憶装置２０とを備えている。地図データ記憶装置２０には、駐車スペースに関するデータが記憶されており、制御装置１３２によって携帯機１が駐車スペースの範囲内で停止しているか否かが判断され、停止している場合はその時間を計測するタイマーを内蔵している。
【００４１】
本発明の実施例４に係る携帯機１においては、携帯機１が駐車スペースに所定時間以上停止したときに、車両が駐車されたものと判断し、そのときの携帯機１の位置をＧＰＳ装置１７によって求め、これを車両２００の駐車位置として時刻と共に記憶装置１８に記憶する。駐車位置を時刻と共に記録することによって、最新のデータに基づいて駐車位置を決定することができる。携帯機１を所持したユーザが車両を離れたときの自己の位置は、携帯機１のＧＰＳ装置１７によって知ることができ、地図データ記憶装置２０に保管された地図データ上における車両の駐車位置とユーザの現在地とを表示装置１９上に表示することができる。このようにして、車両を離れたユーザは自己の位置に対する車両の相対的な位置を知ることができる。本発明の実施例４の携帯機においては、携帯機に内蔵されたタイマーを用いて、車両が所定時間以上停止状態にあるときの携帯機の位置を車両の位置とみなすことにより、携帯機のみで車両の駐車位置を記憶することができる。
【００４２】
次に実施例４に係る携帯機による車両の位置の確認手順について、図１１のフローチャートを用いて説明する。まず、ステップＳ４００において、ＧＰＳ装置１７を用いて携帯機１の位置を検出する。次にステップＳ４０１において、携帯機１の位置と地図データ内に含まれる駐車スペース位置情報とを比較することにより、携帯機１が駐車スペース内に位置しているかどうかを判断する。携帯機１が駐車スペース内に位置している場合は、ステップＳ４０２に進むが、携帯機１が駐車スペース内に位置していない場合は、元に戻って、携帯機が駐車スペースに位置するまで待つ状態となる。
【００４３】
携帯機１が駐車スペースに内に位置している場合には、ステップＳ４０２において、停止時間の計測を行い、停止時間が例えば５秒以上であるか否かを判断する。停止時間が５秒未満の場合は、駐車スペースから離れた可能性もあるため、ステップＳ４０１に戻る。停止時間が５秒以上の場合は、車両２００が駐車されたものと判断し、ステップＳ４０３において携帯機１の位置をＧＰＳ装置１７で確認し、その位置を車両２００の駐車位置として携帯機１の記憶装置１８に記憶する。ここで、車両が実際に駐車されるまでに、車両が複数の駐車スペースに所定時間以上停止した場合であっても、駐車位置のデータを駐車が行なわれた時刻と共に記録し、最新のデータに基づいて駐車位置を決定することにより、正確な駐車位置を確定することができる。
【００４４】
車両を駐車し、車両から離れたユーザが再度車両に戻る場合に、ステップＳ４０４において車両２００の駐車位置のサーチが開始されたか否かを判断する。駐車位置のサーチが開始された場合には、ステップＳ４０５に処理が進められるが、駐車位置のサーチが開始されない場合は、元に戻ってサーチ開始を待つ状態となる。車両の駐車位置のサーチを開始する操作が携帯機１に対して行なわれた場合の車両の操作手順は実施例１と同様であるので省略する。
【００４５】
本実施例においては、携帯機が駐車スペースに位置しているかどうかを携帯機の地図データ記録装置に記録された地図データと比較することによって判断する例を示したが、駐車スペースが設けられた駐車場から発信される地図データに基づいて判断してもよい。
【００４６】
本実施例において、携帯機が駐車スペースに停止している時間が５秒以上の場合に車両が駐車されたものと判断する例を示したが、駐車されたか否かの判断基準となる時間はこれには限られず、所望の時間を設定することができる。
【００４７】
上記各実施例においては、ユーザが所持している携帯機１と車両２００の駐車位置との相対的な位置関係を通知する方法として、携帯機１の表示画面に駐車場の地図を表示して両者の位置を表示する場合について示したが、通知方法はこれには限られず、携帯機から駐車位置への道順を音声によって通知してもよく、また表示画面の一部に方向と距離のみを表示するようにしてもよい。
【００４８】
上記各実施例における携帯機の例としては携帯電話や携帯型ＰＣ等が挙げられるが、これらには限られず、各種携帯機器を利用することができる。
【００４９】
さらに、上記各実施例においては、携帯機を所持して車両から降車したユーザが、再び車両に戻ろうとする際に、車両の位置をサーチする操作をユーザが行なっているが、車両の駐車位置と携帯機との間の距離が所定の距離まで接近した場合や、予め設定した時間が経過した場合等に、携帯機が自動的に車両の駐車位置を通知するようにしてもよい。
【００５０】
以上説明したとおり、本発明の携帯機は、車両が駐車されたことを検知する車両駐車検出装置を実施例１乃至４に記載の装置を用いることによって実現することができる。このように、本発明の携帯機は、携帯機の位置を検出する位置検出装置と、車両が駐車されたことを検知する車両駐車検出装置と、車両が駐車されたときの携帯機の位置を車両の駐車位置として記憶する記憶装置と、車両の駐車位置と携帯機の位置との相対的な位置関係を通知する通知装置と、を有することを特徴としている。本発明においては、車両が駐車されたことを検知する車両駐車検出装置を携帯機が有しており、車両側に特別な装置を設置していなくても車両の駐車位置を検出することができる。
【図面の簡単な説明】
【００５１】
【図１】従来の通信システムの構成図である。
【図２】従来の駐車位置確認システムの構成を示す図である。
【図３】本発明の第１の実施例に係る携帯機と車両の構成図である。
【図４】本発明の第１の実施例に係る携帯機の動作を示すフローチャートである。
【図５】本発明の第１の実施例に係る携帯機の表示画面を示す図である。
【図６】本発明の第２の実施例に係る携帯機と車両の構成図である。
【図７】本発明の第２の実施例に係る携帯機の動作を示すフローチャートである。
【図８】本発明の第３の実施例に係る携帯機と車両の構成図である。
【図９】本発明の第３の実施例に係る携帯機の動作を示すフローチャートである。
【図１０】本発明の第４の実施例に係る携帯機の構成図である。
【図１１】本発明の第４の実施例に係る携帯機の動作を示すフローチャートである。
【符号の説明】
【００５２】
１    携帯機
１０    キーレスエントリシステム
１１    アンテナ
１２    送受信装置
１３    制御装置
１４    操作部
１５    アンテナ
１６    受信機
１７    ＧＰＳ装置
１８    記憶装置
１９    表示装置
２０    地図データ記憶装置
２１    車両位置検出装置
２２    車両動作状態検出装置
【図１】
2010112890.tif 000003
【図２】
2010112890.tif 000004
【図３】
2010112890.tif 000005
【図４】
2010112890.tif 000006
【図５】
2010112890.tif 000007
【図６】
2010112890.tif 000008
【図７】
2010112890.tif 000009
【図８】
2010112890.tif 000010
【図９】
2010112890.tif 000011
【図１０】
2010112890.tif 000012
【図１１】
2010112890.tif 000013